(57)【特許請求の範囲】
【請求項１】
超電導バルクと回転軸の中心を各々を一致させて、前記超電導バルクに印加磁場を付与し、フライホイールを吊り上げるアルミナロッドと断熱パイプからなる荷重支持体ならびに超電導コイルを配置し、前記フライホイールの回転軸の下端に発電電動機を設けるようにしたことを特徴とする超電導フライホイール蓄電装置用超電導磁気軸受。
【請求項２】
請求項１記載の超電導フライホイール蓄電装置用超電導磁気軸受において、前記荷重支持体の上部に直径が１２０ｍｍ以上の超電導大バルクと直径が１００ｍｍ以下の超電導小バルクとを内蔵することを特徴とする超電導フライホイール蓄電装置用超電導磁気軸受。
【請求項３】
請求項１記載の超電導フライホイール蓄電装置用超電導磁気軸受において、前記荷重支持体が、断熱性に優れ、高強度なＦＲＰ製ロッドとＦＲＰ製薄肉パイプからなることを特徴とする超電導フライホイール蓄電装置用超電導磁気軸受。
【請求項４】
請求項３記載の超電導フライホイール蓄電装置用超電導磁気軸受において、前記断熱性に優れ、高強度なＦＲＰ製ロッドがアルミナ繊維とエポキシ樹脂とからなることを特徴とする超電導フライホイール蓄電装置用超電導磁気軸受。
【請求項５】
請求項３記載の超電導フライホイール蓄電装置用超電導磁気軸受において、前記ＦＲＰ製薄肉パイプがガラス繊維クロスとエポキシ樹脂とからなることを特徴とする超電導フライホイール蓄電装置用超電導磁気軸受。
【発明の詳細な説明】
【技術分野】
【０００１】
本発明は、超電導フライホイール蓄電装置用超電導磁気軸受に係り、特に、吊り上げ浮上可能な方式の超電導フライホイール蓄電装置用超電導磁気軸受に関するものである。
【背景技術】
【０００２】
従来、超電導磁気軸受は、ＲＥＢＣＯコイルとＲＥＢＣＯバルクからなる荷重支持体において、印加浮上力が圧縮側に作用する、つまり、押し上げ可能な方式の超電導フライホイール蓄電装置用超電導磁気軸受で設計されていた。
【０００３】
図３は超電導磁気軸受を組み込んだ従来の超電導フライホイール蓄電装置の模式図、図４は従来の図面代用超電導フライホイール蓄電装置の正面写真、図５は従来の図面代用超電導フライホイール蓄電装置の上面写真である。
【０００４】
これらの図において、１０１は軸部材、１０２は下部に配置される超電導コイル、１０３は超電導コイル１０２と対向して配置される超電導バルク、１０４は下部真空容器（外槽容器）、１０５は軸部材１０１に固定されるフライホイール、１０６は上部真空容器（外槽容器）、１０７は真空シール、１０８は軸部材１０１の上端に設けられる発電電動機、１０９は冷凍機、１１０は圧縮機である。
【０００５】
従来の超電導磁気軸受でも、数トン級のフライホイールの大荷重を浮上させる強力な磁場を発生させることは可能であった。
【先行技術文献】
【特許文献】
【０００６】
【特許文献１】特開２００８−２４９１３０号公報
【特許文献２】特開２０１２−００７７０８号公報
【発明の概要】
【発明が解決しようとする課題】
【０００７】
しかしながら、停電などで万一冷凍機が停止した場合、高さ数ｍのフライホイール装置の下部のピット部の限られたスペースで作業しなければならず、作業性が悪く、長期連続運転を前提にした定期的なメンテナンス性が良いとは言えないといった問題があった。
【０００８】
また、図４及び図５に示すように、発電電動機専用の大掛かりな支持やぐらが必要であり、しかも、図１に示すように、超電導磁気浮上機構への高圧配管の配置も十数ｍになるといった問題があった。
【０００９】
本発明は、上記状況に鑑みて、印加浮上力が引っ張り側に作用、すなわち、吊り上げ浮上可能な方式の超電導フライホイール蓄電装置用超電導磁気軸受を構成し、発電電動機専用の大掛かりな支持やぐらが不要となり、その分、装置を簡素化することができ、超電導磁気浮上機構への冷凍機の配置が装置上部となるため、メンテナンスの効率化を図ることができる、超電導フライホイール蓄電装置用超電導磁気軸受を提供することを目的とする。
【課題を解決するための手段】
【００１０】
本発明は、上記目的を達成するために、
〔１〕超電導フライホイール蓄電装置用超電導磁気軸受において、超電導バルクと回転軸の中心を各々一致させて、前記超電導バルクに印加磁場を付与し、フライホイールを吊り上げるアルミナロッドと断熱パイプからなる荷重支持体ならびに超電導コイルを配置し、前記フライホイールの回転軸の下端に発電電動機を設けることを特徴とする。
【００１１】
〔２〕上記〔１〕記載の超電導フライホイール蓄電装置用超電導磁気軸受において、前記荷重支持体の上部に直径が１２０ｍｍ以上の超電導大バルクと直径が１００ｍｍ以下の超電導小バルクとを内蔵することを特徴とする。
【００１２】
〔３〕上記〔１〕記載の超電導フライホイール蓄電装置用超電導磁気軸受において、前記荷重支持体が、断熱性に優れ、高強度なＦＲＰ製ロッドとＦＲＰ製薄肉パイプからなることを特徴とする。
【００１３】
〔４〕上記〔３〕記載の超電導フライホイール蓄電装置用超電導磁気軸受において、前記断熱性に優れ、高強度なＦＲＰ製ロッドがアルミナ繊維とエポキシ樹脂とからなることを特徴とする。
【００１４】
〔５〕上記〔３〕記載の超電導フライホイール蓄電装置用超電導磁気軸受において、前記ＦＲＰ製薄肉パイプがガラス繊維クロスとエポキシ樹脂とからなることを特徴とする。
【発明の効果】
【００１５】
本発明によれば、超電導フライホイール蓄電装置用超電導磁気軸受において、発電電動機専用の大掛かりな支持やぐらが不要となり、大幅に装置を簡素化することができ、しかも、超電導磁気浮上機構への冷凍機の配置が装置上部となるため、メンテナンスの効率化を図ることができる。
【図面の簡単な説明】
【００１６】
【図１】本発明の超電導磁気軸受を備えた超電導フライホイール蓄電装置の模式図である。
【図２】本発明の超電導フライホイール蓄電装置用超電導磁気軸受の縦断面図である。
【図３】超電導磁気軸受を組み込んだ従来の非吊り上げ式の超電導フライホイール蓄電装置の模式図である。
【図４】従来の図面代用超電導フライホイール蓄電装置の正面写真である。
【図５】従来の図面代用超電導フライホイール蓄電装置の上面写真である。
【発明を実施するための形態】
【００１７】
本発明の超電導フライホイール蓄電装置用超電導磁気軸受は、超電導バルクと回転軸の中心を各々一致させて、前記超電導バルクに印加磁場を付与し、フライホイールを吊り上げるアルミナロッドと断熱パイプからなる荷重支持体ならびに超電導コイルを配置する。
【実施例】
【００１８】
以下、本発明の実施の形態について詳細に説明する。
【００１９】
図１は本発明の超電導磁気軸受を備えた超電導フライホイール蓄電装置の模式図である。
【００２０】
この図において、１は断熱性に優れ、高強度なアルミナロッドと断熱パイプからなる荷重支持体、２はその荷重支持体１の上端に固定される超電導バルク、３は超電導バルク２と軸心を一致させて、超電導バルク２に印加磁場を付与し、荷重支持体１を吊り上げる強磁場を発生する超電導コイル、４は荷重支持体１に固定されるフライホイール、５は真空容器（外槽容器）、６は真空シール、７はフライホイール４の回転軸の下端に設けられる発電電動機，８は上部真空容器、９は内槽容器、１０は冷凍機、１０Ａは圧縮機である。
【００２１】
因みに、真空シール６はフライホイール４と発電電動機７の中間にのみ存在する。超電導磁気軸受部（内槽内）とフライホイール４の真空容器５の間に仕切りはなく、約１０Ｐａ（大気圧の約１／１００００）の希薄ヘリウムガスでみたされている。冷凍機１０は内槽容器９を直冷し、バルク類の冷却はヘリウムガスでなされている。
【００２２】
図２は本発明の超電導フライホイール蓄電装置用超電導磁気軸受の縦断面図である。
【００２３】
この図において、１１は断熱性に優れ、高強度なアルミナロッド（直径２４ｍｍ）、１２はＳＵＳ製上部フランジ、１３はアルミナロッド１１に固定され主として浮上力を担う超電導大バルク、１４Ａ，１４Ｂは超電導大バルクの下部に固定され主として案内力を担う超電導小バルク、１５Ａ〜１５Ｃは超電導大バルク１３及び超電導大バルクの下部に固定される超電導小バルク１４Ａ，１４Ｂと軸心を一致させて、超電導大バルク１３と超電導小バルク１４Ａ，１４Ｂに印加磁場を付与し、その反発力でアルミナロッド１１を吊り上げる超電導コイル（ＲＥＢＣＯ系超電導体からなる高温超電導コイル）、１６は下部フランジ、１７はアルミナロッド１１の下端に設けられる固定ボルト、１８は荷重支持体１を構成するＧＦＲＰ薄肉パイプである。
【００２４】
このように、本発明の超電導フライホイール蓄電装置用超電導磁気軸受は、超電導大バルク１３及びこの超電導大バルク１３の下部に固定される超電導小バルク１４Ａ，１４Ｂと軸心を一致させて、超電導大バルク１３と超電導小バルク１４Ａ，１４Ｂに印加磁場を付与し、フライホイール４を吊り上げる荷重支持体１および超電導コイル１５Ａ〜１５Ｃを配置するようにした。
【００２５】
本発明によれば、従来の図４及び図５に示すような発電電動機専用の大掛かりな支持やぐらが不要となり大幅に装置を簡素化することができる。また、超電導磁気浮上機構への冷凍機の配置が装置上部となるため、メンテナンスの効率化を図ることができる。
【００２６】
なお、本発明は上記実施例に限定されるものではなく、本発明の趣旨に基づき種々の変形が可能であり、これらを本発明の範囲から排除するものではない。
【産業上の利用可能性】
【００２７】
本発明は、大掛かりな超電導磁気軸受の支持やぐらが不要となり簡素化することができる。また、超電導磁気浮上機構への冷凍機の配置を簡素化することができるとともに、メンテナンスの効率化を図ることができる、超電導フライホイール蓄電装置用超電導磁気軸受として、利用可能である。
【符号の説明】
【００２８】
１  荷重支持体
２  超電導バルク
３  超電導コイル
４  フライホイール
５  は真空容器（外槽容器）
６  真空シール  
７、１７  発電電動機
８  上部真空容器
９  内槽容器
１０  冷凍機
１０Ａ  圧縮機
１１  アルミナロッド
１２  上部フランジ
１３  超電導大バルク
１４Ａ，１４Ｂ  超電導小バルク
１５Ａ〜１５Ｃ  超電導コイル
１６  下部フランジ（フライホイール回転軸）
１８  荷重支持体を構成するＧＦＲＰ薄肉パイプ
【図１】
0006490567.tif 000002
【図２】
0006490567.tif 000003
【図３】
0006490567.tif 000004
【図４】
0006490567.tif 000005
【図５】
0006490567.tif 000006